(57)【要約】外側カバーと少なくとも部分的に該外側カバーに結合された身体側ライナとの間に配置された膨潤可能な吸収体コアを有するパンツ状の吸収性衣類。膨潤可能な吸収体コアは、該膨潤可能な吸収体コアの初期厚さ（ｔi）の少なくとも３倍である最終厚さ（ｔf）にまで膨潤可能である。2005533528.tif 000021大幅な膨潤は、衣類をトイレトレーニング補助器具として用いるのに好適なものにする。
2005533528.tif 000002
【特許請求の範囲】
【請求項１】
使い捨て吸収性物品であって、
外側カバーと、
前記外側カバーに少なくとも部分的に結合された身体側ライナと、
前記外側カバーと前記身体側ライナとの間に配置され、初期厚さ（ｔi）を有し、最終厚さ（ｔf）、
2005533528.tif 000017
にまで膨潤可能な、膨潤可能な吸収体コアと、
を備え、
前記使い捨て吸収性物品が約３００ｇ又はそれより少ない全吸収能力を有することを特徴とする使い捨て吸収性物品。
【請求項２】
2005533528.tif 000018
である請求項１に記載の使い捨て吸収性物品。
【請求項３】
初期厚さが約２．０ｍｍより少ない請求項１に記載の使い捨て吸収性物品。
【請求項４】
初期厚さが約１．５ｍｍより少ない請求項１に記載の使い捨て吸収性物品。
【請求項５】
初期厚さが約１．０ｍｍより少ない請求項１に記載の使い捨て吸収性物品。
【請求項６】
初期厚さが約０．５ｍｍから約１．０ｍｍまでである請求項１に記載の使い捨て吸収性物品。
【請求項７】
前記吸収性物品が約３．０ｍｍより少ない初期厚さを有する請求項１に記載の使い捨て吸収性物品。
【請求項８】
前記吸収性物品が約２．５ｍｍより少ない初期厚さを有する請求項１に記載の使い捨て吸収性物品。
【請求項９】
前記吸収性物品が約２．０ｍｍより少ない初期厚さを有する請求項１に記載の使い捨て吸収性物品。
【請求項１０】
前記吸収体コアが少なくとも約２５ｍｍの幅を有する請求項１に記載の使い捨て吸収性物品。
【請求項１１】
前記吸収体コアが少なくとも約５０ｍｍの幅を有する請求項１に記載の使い捨て吸収性物品。
【請求項１２】
前記吸収体コアが少なくとも約１００ｍｍの幅を有する請求項１に記載の使い捨て吸収性物品。
【請求項１３】
前記吸収体コアが約２５ｍｍから約７００ｍｍまでの長さを有する請求項１に記載の使い捨て吸収性物品。
【請求項１４】
前記吸収体コアが約２５０ｍｍから約６００ｍｍまでの長さを有する請求項１に記載の使い捨て吸収性物品。
【請求項１５】
前記吸収体コアが約３００ｍｍから約５５０ｍｍまでの長さを有する請求項１に記載の使い捨て吸収性物品。
【請求項１６】
前記吸収体コアが少なくとも約１００ｇの全吸収能力を有する請求項１に記載の使い捨て吸収性物品。
【請求項１７】
前記吸収体コアが少なくとも約１３０ｇから約２００ｇまでの全吸収能力を有する請求項１に記載の使い捨て吸収性物品。
【請求項１８】
前記吸収体コアが少なくとも約１４０ｇから約１８０ｇまでの全吸収能力を有する請求項１に記載の使い捨て吸収性物品。
【請求項１９】
前記吸収体コアが高膨潤吸収性材料を備えた請求項１に記載の使い捨て吸収性物品。
【請求項２０】
前記吸収体コアの上に置かれたサージ層を更に備えた請求項１に記載の使い捨て吸収性物品。
【請求項２１】
吸収性衣類であって、
外側カバーと前記外側カバーに重なり合う関係で接続された身体側ライナとを有する吸収性シャーシと、
前記外側カバーと前記身体側ライナとの間に配置され、予想放出体積の約３倍より大きくない合計吸収能力を有する吸収体コアと、
を備え、
前記吸収体コアは、放出により、該吸収体コアの初期乾燥厚さの少なくとも約３倍大きい最終湿潤厚さにまで膨潤可能であることを特徴とする吸収性衣類。
【請求項２２】
前記最終湿潤厚さが前記初期乾燥厚さの少なくとも約５倍大きい請求項２１に記載の吸収性衣類。
【請求項２３】
前記初期乾燥厚さが約２．０ｍｍより少ない請求項２１に記載の吸収性衣類。
【請求項２４】
前記初期乾燥厚さが約１．５ｍｍより少ない請求項２１に記載の吸収性衣類。
【請求項２５】
前記初期乾燥厚さが約１．０ｍｍより少ない請求項２１に記載の吸収性衣類。
【請求項２６】
前記初期乾燥厚さが約０．５ｍｍから約１．０ｍｍまでである請求項２１に記載の吸収性衣類。
【請求項２７】
前記初期乾燥厚さが約０．６０ｍｍから約０．８５ｍｍまでである請求項２１に記載の吸収性衣類。
【請求項２８】
前記最終厚さが約３．７５ｍｍより大きい請求項２１に記載の吸収性衣類。
【請求項２９】
前記吸収性物品が約３．０ｍｍより少ない初期厚さを有する請求項２１に記載の使い捨て吸収性物品。
【請求項３０】
前記吸収性物品が約２．５ｍｍより少ない初期厚さを有する請求項２１に記載の使い捨て吸収性物品。
【請求項３１】
前記吸収性物品が約２．０ｍｍより少ない初期厚さを有する請求項２１に記載の使い捨て吸収性物品。
【請求項３２】
前記吸収体コアが少なくとも約２５ｍｍの幅を有する請求項２１に記載の使い捨て吸収性物品。
【請求項３３】
前記吸収体コアが少なくとも約５０ｍｍの幅を有する請求項２１に記載の使い捨て吸収性物品。
【請求項３４】
前記吸収体コアが少なくとも約１００ｍｍの幅を有する請求項２１に記載の使い捨て吸収性物品。
【請求項３５】
前記吸収体コアが約２５ｍｍから約７００ｍｍまでの長さを有する請求項２１に記載の使い捨て吸収性物品。
【請求項３６】
前記吸収体コアが約２５０ｍｍから約６００ｍｍまでの長さを有する請求項２１に記載の使い捨て吸収性物品。
【請求項３７】
前記吸収体コアが約３００ｍｍから約５５０ｍｍまでの長さを有する請求項２１に記載の使い捨て吸収性物品。
【請求項３８】
前記吸収体コアが約３０ｇから約４００ｇまでの全吸収能力を有する請求項２１に記載の使い捨て吸収性物品。
【請求項３９】
前記吸収体コアが約１００ｇより大きい全吸収能力を有する請求項２１に記載の使い捨て吸収性物品。
【請求項４０】
前記吸収体コアが約１３０ｇから約２００ｇまでの全吸収能力を有する請求項２１に記載の使い捨て吸収性物品。
【請求項４１】
前記吸収体コアが高膨潤吸収性材料を備えた請求項２１に記載の吸収性衣類。
【請求項４２】
一回放出用トレーニングパンツからなる請求項２１に記載の吸収性衣類。
【請求項４３】
おむつからなる請求項２１に記載の吸収性衣類。
【請求項４４】
幼児用トレーニングパンツからなる請求項２１に記載の吸収性衣類。
【請求項４５】
成人用失禁用衣類からなる請求項２１に記載の吸収性衣類。
【請求項４６】
使い捨て吸収性物品であって、
外側カバーと、
前記外側カバーに少なくとも部分的に結合された身体側ライナと、
前記外側カバーと前記身体側ライナとの間に配置され、初期厚さ（ｔi）を有し、最終厚さ（ｔf）、
2005533528.tif 000019
にまで膨潤可能な、膨潤可能な吸収体コアと、
を備え、これによって空隙領域が前記膨潤可能な吸収体コアに形成され、
前記使い捨て吸収性物品が約３００ｇ又はそれより少ない全吸収能力を有することを特徴とする使い捨て吸収性物品。
【請求項４７】
2005533528.tif 000020
である請求項４６に記載の使い捨て吸収性物品。
【請求項４８】
前記初期厚さが約２．０ｍｍより少ない請求項４６に記載の使い捨て吸収性物品。
【請求項４９】
前記初期厚さが約１．５ｍｍより少ない請求項４６に記載の使い捨て吸収性物品。
【請求項５０】
前記初期厚さが約１．０ｍｍより少ない請求項４６に記載の使い捨て吸収性物品。
【請求項５１】
前記初期厚さが約０．５ｍｍから約１．０ｍｍまでである請求項４６に記載の使い捨て吸収性物品。
【請求項５２】
前記吸収性物品が約３．０ｍｍより少ない初期厚さを有する請求項４６に記載の使い捨て吸収性物品。
【請求項５３】
前記吸収性物品が約２．５ｍｍより少ない初期厚さを有する請求項４６に記載の使い捨て吸収性物品。
【請求項５４】
前記吸収性物品が約２．０ｍｍより少ない初期厚さを有する請求項４６に記載の使い捨て吸収性物品。
【請求項５５】
前記吸収体コアが約１００ｍｍから約４００ｍｍまでの幅を有する請求項４６に記載の使い捨て吸収性物品。
【請求項５６】
前記吸収体コアが約１００ｍｍから約４００ｍｍまでの長さを有する請求項４６に記載の使い捨て吸収性物品。
【請求項５７】
前記吸収体コアが約１３０ｇから約２００ｇまでの全吸収能力を有する請求項４６に記載の使い捨て吸収性物品。
【請求項５８】
前記吸収体コアが約１４０ｇから約１８０ｇまでの全吸収能力を有する請求項４６に記載の使い捨て吸収性物品。
【請求項５９】
前記吸収体コアが高膨潤吸収性材料を備えた請求項４６に記載の使い捨て吸収性物品。
【発明の詳細な説明】
【発明の詳細な説明】
【０００１】
（技術分野）
本発明は、例えば尿のような液体の放出を吸収したときに、大幅に膨潤する吸収体コアを有するパンツ状のパーソナルケア吸収性衣類に向けられる。
【０００２】
（背景技術）
幼児のトイレトレーニングは、多くの場合、容易な仕事ではなく、したがって、一般に、トレーニングを助けるのにトレーニング補助器具が用いられる。しかしながら、多くの親たちは、通常のトレーニングパンツ並びに通常のおむつは、彼らの子供がトイレトレーニングをするように動機付けるのにうまくいかないことを見出した。
幾つかの通常の高吸収性トレーニングパンツ及びおむつは、一般には、例えば尿のような放出をあまりに効果的に吸収するために、幼児は、いつ彼又は彼女が濡れた衣類を着用しているのかがわからない。このことは、幼児を混乱させることになり、トイレトレーニングを遅くする可能性がある。多くの親たちは、排尿中又は排尿後に幼児が経験する濡れた感覚又は感触の変化が、幼児が彼又は彼女の衣類を濡らさないようにさせて、トイレトレーニングを完了させる助けになると信じている。
更に、例えばトレーニングパンツのような幾つかの通常の衣類は、通常のおむつと密接に似通っている。多くの親たちは、幼児がトレーニングパンツと通常のおむつとを区別できない場合には、彼又は彼女のトレーニングパンツを乾燥した状態に維持する意識を掻き立てられないと信じている。
子供にトイレトレーニング過程を完了させるように動機付けるトイレトレーニング衣類についての必要性又は要求がある。
排尿後に、濡れているか又は違った感触を感じて気付くことになる、一回の排尿だけを吸収することができ、各排尿毎に取り替えなければならない一回放出用使い捨てトレーニングパンツについての必要性又は要求がある。
【０００３】
（発明の開示）
本発明は、例えば、吸収体コアが尿のような液体の放出を吸収したときに大幅に膨潤する膨潤可能な吸収体コアを有する一回放出用トレーニングパンツのようなパンツ状の使い捨て吸収性衣類又は物品に向けられる。この衣類は、トイレトレーニング補助器具として用いることができる。この衣類は、乾燥時には、典型的な下着のように薄い。着用者がパンツを濡らすと、該パンツは保護し、厚くなっておむつのようになる。着用者は、「大きい子供の下着」から赤ちゃんのおむつに切り替わる結果を経験する。この報い及び結果の組み合わせが、幼児がトイレトレーニングをする気になることを助ける。この概念は単純で簡単なものであるため、歩き始めの子供でも容易に理解できる。
パンツ状の使い捨て吸収性物品は、外側カバーと該外側カバーに重なり合う関係で接続された身体側ライナとの間に配置された、すなわち配置された吸収体コアを含む。膨潤可能な吸収体コアは、極めて薄い高膨潤吸収複合材料又は超吸収性材料とパルプ繊維との組み合わせを含む極薄吸収体（ＵＴＡ）材料のような比較的薄い高膨潤吸収性材料で作られることが望ましい。
本発明の１つの実施形態においては、吸収性組立体は、最初の放出の吸収中に膨潤して、該吸収性組立体に空隙領域を生成し、製品が単一使用として設計されていても、該空隙領域が、可能性のある後の放出中に取り込み及び流体分布を助長する。本実施形態においては、衣類は、乾燥時には、薄く目立たず、身体に近接している。更に、衣類は、最初の放出後により厚い吸収体を配置する能力を有する。より厚い吸収体は、大きな放出を取り扱う体積が必要とされるときにだけ、すなわち最初の放出後にだけ、衣類にそのような体積を与える。増加した厚さは、着用者に、衣類を取り替えるように警告し、空隙領域は、汚れた衣類を置き換えることができる前に生じる後の如何なる放出をも閉じ込める。
【０００４】
膨潤可能な吸収性製品組立体は、望ましくは約３．０ｍｍより少ない初期乾燥厚さを有し、より望ましくは約２．５ｍｍより少ない厚さを有し、更により望ましくは約２．０より少ない厚さを有する。膨潤可能な吸収性製品組立体は、望ましくは、予想放出体積の約３倍より大きくない全又は合計吸収能力を有し、より望ましくは予想放出体積の約２倍より大きくない全又は合計吸収能力を有し、したがって、約３０グラム（ｇ）から約１００ｇまでの体積を有する放出、望ましくは約６０ｇから約８０ｇまでの体積を有する放出を受け入れることができることが好適である。特定の実施形態においては、膨潤可能な吸収性製品組立体は、必要に応じて約１００ｇより大きい放出体積を受け入れることができる。好適には、膨潤可能な吸収性製品組立体は、約３０ｇから約３００ｇまでのような約３００ｇであるか又はそれより少ない全吸収能力、望ましくは約４０ｇから約２４０ｇまで、或いは約５０ｇから約２００ｇまでの全吸収能力を有する。
吸収体コアは、好適には、約２．０ｍｍより少ない初期乾燥厚さ（ｔi）、より好適には約１．５ｍｍより少ない初期乾燥厚さ、最も好適には約１．０ｍｍより少ない初期乾燥厚さを有し、放出により、少なくとも放出領域において、望ましくは吸収体コアの該初期乾燥厚さの少なくとも約３倍大きい、より望ましくは該吸収体コアの該初期乾燥厚さの少なくとも約５倍大きい最終湿潤厚さ（ｔf）にまで膨潤可能である。例えば、本発明の１つの実施形態においては、吸収体コアは、約０．６０ｍｍから約０．８５ｍｍまでの初期乾燥厚さを有することができる。約８０ｇの体積を有する放出を吸収することにより、吸収体コアは、約３．７５ｍｍより大きい最終湿潤厚さにまで膨潤するか又は膨張することができる。好適な吸収体コアは、約１００ｇより大きい全吸収能力を有し、望ましくは約１３０ｇから約２００ｇまで、或いは約１４０ｇから約１８０ｇまでの全吸収能力を有する。
上記のことを認識して、本発明の特定の実施形態は、吸収体コアが尿のような放出を吸収したときに、少なくとも目標域又はゾーンにおいて大幅に膨潤する吸収体コアを有するパンツ状の吸収性衣料を提供する。
更に、本発明の特定の実施形態は、幼児が、放出により吸収体コアが膨潤する結果を経験する、幼児にトイレトレーニングをするための動機付け用トレーニング補助器具として用いるための一回放出用トレーニングパンツを提供する。
【０００５】
定義
本明細書の文脈においては、以下の各用語及び句は、以下の１つ又はそれ以上の意味を含むことになる。
「吸収体コア」とは、吸収性製品における液体保管材料のことをいう。
「予想放出体積」とは、膨潤可能な吸収性製品組立体が受け入れることができる、例えば尿のような流体の体積のことをいう。好適には、本発明の一実施形態においては、予想放出体積は、約３０ｇから約１００ｇまでであり、望ましくは約６０ｇから約８０ｇまでである。特定の実施形態においては、膨潤可能な吸収性製品組立体は、必要に応じて、約１００ｇより大きい放出体積を受け入れることができる。
「結合される」とは、２つの要素を接合する、接着する、接続する、取り付けること等を指す。互いに直接に、又は各々が介在する要素に直接結合される場合のように互いに間接的に結合される場合に、２つの要素が互いに結合されると考えられる。
「接続される」とは、２つの要素を接合する、接着する、結合する、取り付けること等を指す。互いに直接に、又は各々が介在する要素に直接接続される場合のように互いに間接的に接続される場合に、２つの要素が互いに接続されると考えられる。
「使い捨て」とは、一度使用した後に廃棄され、洗われて再利用される意図のないことを意味する。
「配置される」、「設置される」、及びこれらの変形は、１つの要素が他の要素と一体化されること、すなわち１つの要素が別の要素に結合された、又は別の要素と共に置かれた、或いは別の要素の近くに置かれた別個の構造体とされることを意味するように意図される。
【０００６】
「弾性の」、「弾性を付与された」及び「弾性」とは、変形を生じさせる力を除いた後に、元の寸法及び形状の約７５パーセントのような高い百分率を回復する傾向があるという材料又は複合材の特性を意味する。
「エラストマーの」とは、弛緩状態のときの長さの少なくとも２５パーセントまで伸びることができ、加えられた力が解除されると、その伸びの少なくとも１０パーセントまで回復する材料又は複合材のことをいう。一般に、エラストマー材料又は複合材は、弛緩状態のときの長さの少なくとも１００パーセント、より好ましくは少なくとも３００パーセントまで伸びることができ、加えられた力が解除されると、その伸びの少なくとも５０パーセントまで回復することが好ましい。
「布」という用語は、織成、編成、及び不織の繊維ウェブの全てを指すのに用いられる。
「フィルム」とは、キャストフィルム又はブローフィルム押出工程のようなフィルム押出及び／又は発泡工程を用いて作成された熱可塑性フィルムのことをいう。この用語は、穿孔されたフィルム、スリットフィルム、液体透過性フィルムを構成するその他の多孔質フィルム、並びに液体不透過性フィルムすなわち液体を導かないフィルムを含む。
【０００７】
「高膨潤吸収性材料」とは、例えば尿のような液体を十分な量だけ吸収することにより、初期乾燥厚さの少なくとも３倍だけ大きい最終湿潤厚さにまで膨潤するか又は厚くなる吸収性材料のことをいう。
「親水性」とは、繊維に接触する水性液体によって湿潤される繊維又は繊維の表面を表す。材料の湿潤度は、関係する液体と材料の接触角及び表面張力によって説明することができる。特定の繊維材料の湿潤性を測定するのに適した装置及び技術は、Ｃａｈｎ  ＳＦＡ−２２２表面力分析器システム又はこれと実質的に同等なシステムによって与えられる。このシステムで測定する場合は、９０度より小さい接触角を有する繊維は「湿潤性」すなわち親水性を示し、９０度に等しいか又はそれより大きい接触角を有する繊維は「非湿潤性」すなわち疎水性を示す。
「一体」又は「一体に」とは、１つの要素が別の要素に結合された、又は１つの要素が別の要素と共に配置された、或いは１つの要素が別の要素の付近に配置された別々の構造体ではなく、１つの単体の要素の種々の部分のことをいうのに用いられる。
「層」は、単独で用いられる場合には、単一の要素又は複数の要素の２つの意味を持つことができる。
層又はラミネートに用いられる場合の「液体不透過性」とは、通常の使用条件では尿などの液体が液体接触点において層又はラミネートの平面にほぼ垂直な方向に層又はラミネートを通過しないことを意味する。
「液体透過性」とは、液体不透過性ではない層又はラミネートのことをいう。
【０００８】
「縦方向」及び「横方向」とは、図２及び図３に示される縦方向軸線及び横方向軸線によって表されるような慣習的な意味を有する。縦方向軸線は、物品の平面内に延び、かつ物品の着用時に起立している着用者を右半身及び左半身に二分する垂直面にほぼ平行である。横方向軸線は、縦方向軸線にほぼ垂直な物品の平面内に延びる。図示される物品は、横方向よりも縦方向に長い。
「メルトブロー繊維」とは、溶融した熱可塑性材料を、複数の微細な、通常は円形のダイ毛細管を通じて、収束する高速高温ガス（例えば空気）流の中へ溶融糸又はフィラメントとして押し出し、熱可塑性材料のフィラメントがガス流によって細められ、直径が、マイクロファイバーの直径にまで縮小されることにより形成される小直径の繊維を意味する。その後、メルトブロー繊維は、高速ガス流により運ばれ、集積面に堆積されて、不規則に分散されたメルトブロー繊維のウェブを形成する。このような工程は、例えば、ビューティン他に付与された米国特許第３，８４９，２４１号に開示されている。メルトブロー繊維は、連続的又は非連続的とすることができるマイクロファイバーである。これらは、一般的には約０．６デニール以下であるが、約２５デニールより大きくなることができ、集積面に堆積されるときには、通常は自己結合する。本発明で用いるメルトブロー繊維は、好ましくは、長さにおいてほぼ連続的である。
「部材」は、単独で用いられる場合には、単一の要素又は複数の要素の２つの意味を持つことができる。
「不織」又は「不織ウェブ」という用語は、織物の製織又は編成工程の助けを借りずに形成された材料、及び材料のウェブを指す。
【０００９】
「作動的に取り付けられる」とは、弾性部材の別の要素への取り付けに関しては、弾性部材が伸ばされて要素に取り付けられ又は接続された時、或いは熱又は化学物質で処理された時などに、該要素に弾性特性が与えられることを意味し、非弾性部材の別の要素への取り付けに関しては、該部材と該要素が、意図されたすなわち記載された複合体の機能を果たすことを許す又は許容する好適な手法のいずれかで取り付けられることを意味する。接合すること、取り付けること、接続することなどは、どちらかの部材を要素に直接接合することのように直接にすることもできるし、第１部材と第１要素との間に配置された別の部材によって間接的にすることもできるし、第１部材により複合体が第１部材の特性を呈するように、第１要素の隣接する結合点によって第１部材が機械的に取り付けられるようにすることもできる。
「恒久的に接合される」とは、吸収性衣類の通常の使用条件下において要素が結合された状態のままであり、この状態のまま維持される傾向をもつように、吸収性衣類の２つの要素を接合する、接着する、接続する、取り付けること等を指す。
「ポリマー」とは、単独重合体と、例えば、ブロック共重合体、グラフト共重合体、ランダム共重合体、及び交互共重合体、三元共重合体等のような共重合体と、それらの配合物及び変成物を含むが、これらに限られるものではない。更に、特に限定されていない限り、「ポリマー」という用語は、材料の可能性のある全ての幾何学的形状を含む。これらの形状は、これらに限られるものではないが、アイソタクチック対称、シンジオタクチック対称、及びアタクチック対称を含む。
「再締結可能」とは、解放可能に取り付け、分離し、その後に、実質的に永久変形又は破断なしに解放可能に再び取り付けることができる２つの要素の特性のことをいう。
「スパンボンド繊維」とは、溶融した熱可塑性材料を、円形又はその他の形状を有する紡糸口金の複数の微細な毛細管からフィラメントとして押し出し、次いで、押し出されたフィラメントの直径を、例えば、それぞれの全部を引用によりここに組み入れる、アッペル他に付与された米国特許第４，３４０，５６３号、ドーシュナー他に付与された米国特許第３，６９２，６１８号、マツキ他に付与された米国特許第３，８０２，８１７号、キニーに付与された米国特許第３，３３８，９９２号及び３，３４１，３９４号、ハートマンに付与された米国特許第３，５０２，７６３号、ピーターセンに付与された米国特許第３，５０２，５３８号、及びドーボー他に付与された米国特許第３，５４２，６１５号におけるように、急速に縮小することにより形成される小直径の繊維を指す。スパンボンド繊維は、集積面に堆積される際に急冷され、通常は粘着性がない。スパンボンド繊維は、ほぼ連続しており、しばしば約０．３デニール以上、より具体的には、約０．６から１０デニールまでの間の平均デニールを有する。
【００１０】
「ストレッチ可能」とは、破断することなく、少なくとも一方向に最初の（引き伸ばされていない）長さの少なくとも１５０％まで、好適には最初の長さの少なくとも２００％まで、望ましくは最初の長さの少なくとも２５０％まで引き伸ばすことができる材料を意味する。
「超吸収体」又は「超吸収性材料」は、最適条件下において、０．９重量％の塩化ナトリウムを含む水溶液中で、少なくともそれ自体の重量の約１５倍を、より望ましくは、少なくともそれ自体の重量の約３０倍を吸収することが可能な、水膨潤性、水不溶性の有機又は無機材料を指す。超吸収性材料は、天然、合成又は変成天然ポリマー又は材料とすることができる。更に、超吸収性材料は、シリカゲルのような無機材料、又は架橋結合されたポリマーのような有機材料とすることができる。
「表面」とは、一方が空気とすることができる２つの物質の組成物の間の界面により形成されるものであり、空気、気体及び／又は液体を透過するか又は透過しないかに関わらず、あらゆる層、フィルム、織布、不織布、ラミネート、複合材などを含む。
「熱可塑性」とは、高温に曝された時に軟化し、室温まで冷却された時には実質的に元の状態に戻る材料のことを指す。
「空隙体積」とは、尿のような排泄物を収集して保管することができるゾーン又は領域を形成する材料又は材料の一部により囲まれた空間のことをいう。
これらの用語は、本明細書の残りの部分において付加的な言葉で定義されることがある。
【００１１】
（発明を実施するための最良の形態）
本発明は、例えば尿のような放出を吸収したときに大幅に膨潤する吸収体コアを有するパンツ状の吸収性衣類に向けられる。吸収体コアは、子供のトイレトレーニングにおいて効果的なトレーニング補助器具になる。更に、本発明の一実施形態においては、最初の放出における吸収体コアの膨潤は、該吸収体コアに空隙領域を生成し、これは、次の放出における取り込み及び流体分布を助長する。本発明の原理は、あらゆる好適な使い捨て吸収性物品に組み込むことができる。このような好適な物品の例は、おむつ、トレーニングパンツ、婦人用衛生製品、失禁用製品、他のパーソナルケア又はヘルスケア衣類などを含む。説明を容易にするために、以下の説明は、子供のトレーニングパンツに対するものとする。
図１を参照すると、本発明の一実施形態に係るトレーニングパンツ２０のような使い捨て吸収性パンツが、部分的に締結された状態で示されている。トレーニングパンツ２０は、吸収性シャーシ３２と締結システム８０とを含む。吸収性シャーシ３２は、前領域２２、後領域２４、前領域と後領域とを相互に接続する股領域２６、着用者に接触するように構成された内面２８、及び着用者の衣服に接触するように構成された、内面とは反対側の外面３０を定める。図２及び図３に更に詳細に示すように、吸収性シャーシ３２はまた、一対の横方向両側の側縁３６と、前ウエスト縁３８及び後ウエスト縁３９と表記される一対の縦方向両側のウエスト縁とを定める。前領域２２は、前ウエスト縁３８と隣接しており、後領域２４は後ウエスト縁３９と隣接している。
図示された吸収性シャーシ３２は、ほぼ長方形の複合構造体３３と、一対の横方向両側の前側部パネル３４と、一対の横方向両側の後側部パネル１３４とを含む。複合構造体３３と側部パネル３４及び１３４は、図１に示されるすように、一体に形成されてもよいし、或いは図２及び図３に示されるように、２つ又はそれ以上の別の要素を含んでもよい。図示された複合構造体３３は、外側カバー４０、外側カバーに重ね合わされた関係で接続された身体側ライナ４２、及び外側カバー４０と身体側ライナ４２との間に配置され又は配設された吸収体コア４４（図３）を含む。複合構造体３３はまた、図３に示すように、一対の閉じ込めフラップ４６を含む。長方形の複合構造体３３は、前及び後ウエスト縁３８及び３９の一部を形成する両側の直線状であるか又は曲線状の端縁４５と、吸収性シャーシ３２の側縁３６の一部を形成する両側の直線状の側縁４７とを有する（図２及び図３）。参考のために、トレーニングパンツ２０の縦方向軸線及び横方向軸線の向きを示す矢印４８及び４９が、図２及び図３に示されている。或いは、複合構造体３３は、より広い前部中央パネル３５をもつ砂時計のような不規則な形状を有することができる。吸収構造体の寸法は、少なくとも２５ｍｍから約７５ｃｍまでの幅と、同じ範囲を囲む長さとの範囲に及ぶものである。特定の実施形態においては、吸収構造体の幅は、必要に応じて、７５ｃｍより大きくすることができる。
【００１２】
図１に部分的に示される締結された状態のトレーニングパンツ２０においては、前及び後領域２２及び２４が互いに接合されて、ウエスト開口部５０と一対の脚開口部５２とを有する３次元のパンツ形状を定める。前領域２２は、着用時に着用者の前に配置されたトレーニングパンツ２０の部分を含み、一方、後領域２４は、着用時に着用者の後ろに配置されたトレーニングパンツの部分を含む。トレーニングパンツ２０の股領域２６は、着用時に着用者の脚の間に配置され、着用者の胴の下部を覆うトレーニングパンツの部分を含む。前及び後側部パネル３４及び１３４は、着用時に着用者の腰に配置されるトレーニングパンツ２０の部分を含む。
吸収性シャーシ３２の前領域２２は、横方向両側の前側部パネル３４と、側部パネルの間に配置され、それらを相互に接続する前中央パネル３５（図２及び図３）と共に、前ウエスト弾性部材５４と、その他の接続された構成材とを含む。吸収性シャーシ３２の後領域２４は、横方向両側の後側部パネル１３４と、側部パネルの間に配置され、それらを相互に接続する後中央パネル１３５（図２及び図３）と、後ウエスト弾性部材５６と、その他の接続された構成材とを含む。吸収性シャーシ３２のウエスト縁３８及び３９は、着用時に着用者のウエストを包囲するように構成され、ウエスト周辺寸法を定めるウエスト開口部５０を与える。股領域２６の横方向両側の側縁３６の部分が、全体として脚開口部５２を定める。
【００１３】
吸収性シャーシ３２は、着用者から排出されたどんな身体排出物をも収容し及び／又は吸収するように構成される。例えば、吸収性シャーシ３２は、望ましくは、必ずしもそうである必要はないが、身体排出物の横方向の流出に対する障壁を与えるように構成された一対の閉じ込めフラップ４６を含む。フラップ弾性部材５３（図３）は、当該技術分野では公知の適切な方法のいずれかによって各閉じ込めフラップ４６に作動的に接合される。弾性を付与された閉じ込めフラップ４６は、トレーニングパンツ２０の少なくとも股部２６において直立したほぼ垂直な形状となる、取り付けられていない縁部を定め、着用者の身体に対するシールを形成する。閉じ込めフラップ４６は、吸収性シャーシ３２の横方向両側の側縁に沿って配置可能であり、吸収性シャーシの全長に沿って縦方向に延びても良いし、吸収性シャーシの長さの一部にのみ沿って延びても良い。閉じ込めフラップ４６に適した構成及び配置は、一般に当業者には公知であり、Ｅｎｌｏｅに付与された１９８７年１１月３日付けの米国特許第４，７０４，１１６号に記載されており、引用によりここに組み込まれる。
トレーニングパンツ２０は、身体排出物の閉じ込め及び／又は吸収を更に増強するために、当業者には公知のように前ウエスト弾性部材５４と、後ウエスト弾性部材５６と、脚弾性部材５８とを含むことが望ましい（図３）。ウエスト弾性部材５４及び５６は、両側のウエスト縁３８及び３９に沿って外側カバー４０及び／又は身体側ライナ４２に作動的に取り付けることができ、ウエスト縁の一部又は全体にわたって延びていてもよい。脚弾性部材５８は、両側の側縁３６に沿って外側カバー４０及び／又は身体側ライナ４２に作動的に取り付けられ、トレーニングパンツ２０の股領域２６に配置されることが望ましい。脚弾性部材５８は、複合構造体３３の各側縁４７に沿って縦方向に位置合わせされることが望ましい。各々の脚弾性部材５８は、前終端点６３及び後終端点６５を有し、これらの点は、脚弾性部材によって生じた弾性ギャザーの縦方向の端部を表す。前終端点６３は、望ましくは、前側部パネル３４の縦方向に最も内側の部分に隣接して配置され、後終端点６５は、望ましくは、後側部パネル１３４の縦方向に最も内側の部分に隣接して配置される。
【００１４】
フラップ弾性部材５３、ウエスト弾性部材５４及び５６、並びに脚弾性部材５８は、好適な弾性材料のいずれからも形成することができる。当業者には周知のように、好適な弾性材料は、天然ゴム、合成ゴム、又は熱可塑性エラストマー・ポリマーのシート、ストランド又はリボンを含む。弾性材料は、伸ばして基体に接着するか、又はギャザー寄せされた基体に接着するか、或いは基体に接着してから例えば熱を加えることによって弾性を付与するか又は収縮させることができ、それにより基体に弾性収縮力が付与される。特定の実施形態の１つにおいて、脚弾性部材５８は、例えば米国デラウェア州ウィルミントン所在のＥ．Ｉ．デュポン・ド・ヌムール・アンド・カンパニーから入手可能な、ＬＹＣＲＡ（登録商標）の商標名で販売されている複数のマルチフィラメント・スパンデックス・エラストマー糸が乾式紡糸集合されたものを含む。
外側カバー４０は、ほぼ液体不透過性とすることができ、かつ弾性、伸縮性、又は非伸縮性とすることができる材料を含むことが望ましい。外側カバー４０は液体不透過性の材料の単一層とすることができるが、少なくとも層の１つが液体不透過性である多層のラミネート構造からなることが望ましい。例えば、外側カバー４０は、ラミネート接着剤（図示せず）により互いに適切に接合される、液体透過性の外側層と液体不透過性の内側層とを含むことができる。ビード、スプレー、平行スワールなどの形で連続的に又は断続的に付着させることができる好適なラミネート接着剤は、米国ウィスコンシン州ウォーワトサ所在のＦｉｎｄｌｅｙ  Ａｄｈｅｓｉｖｅｓ，  Ｉｎｃ．又は米国ニュージャージー州ブリッジウォーター所在のナショナル・スターチ・アンド・ケミカル・カンパニーから入手できる。液体透過性の外側層は、適切な材料であればいずれであってもよいが、一般的に布のような感触を与えるものが望ましい。そうした材料の一例は、２０ｇｓｍ（グラム毎平方メートル）のスパンボンド・ポリプロピレンの不織ウェブである。外側層は、液体透過性の身体側ライナ４２を形成する材料から製造することもできる。外側層は、液体透過性である必要性はないが、着用者に比較的布に似た感触を与えることが望ましい。
【００１５】
外側カバー４０の内側層は、液体不透過性かつ蒸気不透過性であってもよいし、液体不透過性かつ蒸気透過性であってもよい。内側層は、薄いプラスチック・フィルムから製造されることが望ましいが、他の可撓性のある液体不透過性材料を用いてもよい。内側層、又は単層である場合の液体不透過性外側カバー４０は、敷布及び衣服といった物品や、着用者及び介護者が汚物で濡れるのを防ぐ。液体不透過性の内側層、又は単層の液体不透過性外側カバー４０としての使用に適した液体不透過性フィルムは、米国ヴァージニア州ニューポート・ニューズ所在のハンツマン・パッケージング社から市販されている０．２ミリメートルのポリエチレン・フィルムである。外側カバー４０が単一材料層である場合には、より布に近い外観を与えるためにエンボス加工及び／又はマット仕上げすることができる。上記したように、液体不透過性の材料は、使い捨て吸収性物品の内部から蒸気が逃げられるようにする一方で、なおかつ液体が外側カバー４０を透過するのを防ぐことができる。好適な「通気性」材料は、微孔性の高分子フィルムで構成されるか、或いは所望の液体不透過性レベルを与えるようにコーティングされるか又はその他の手法で処理された不織布から構成される。好適な微孔性フィルムは、日本国東京所在の三井東圧化学株式会社から市販されているＰＭＰ−１フィルム材料か、又は米国ミネソタ州ミネアポリス所在の３Ｍカンパニーから市販されているＸＫＯ−８０４４ポリオレフィン・フィルムである。
液体透過性身体側ライナ４２は、外側カバー４０と吸収体コア４４の上に重なるように図示されており、必ずしもそうである必要はないが外側カバー４０と同じ寸法をもつことができる。身体側ライナ４２は、応従性があり、柔軟な感触で、着用者の皮膚に刺激を与えないことが望ましい。更に、身体側ライナ４２は、着用者に比較的乾いた表面を提供し、かつ液体が該身体側ライナの厚みを通して容易に浸透できるように、吸収体コア４４より親水性の低いものにしても良い。
【００１６】
身体側ライナ４２は、合成繊維（例えばポリエステル繊維又はポリプロピレン繊維）、天然繊維（例えば木材繊維又は綿繊維）、天然繊維と合成繊維の組み合わせ、多孔性発泡体、網状発泡体、穿孔されたプラスチック・フィルム等といったウェブ材料の幅広い選択肢の中から製造することができる。身体側ライナ４２には種々の織布及び不織布を用いることができる。例えば、身体側ライナは、ポリオレフィン繊維をメルトブローしたウェブ又はスパンボンドしたウェブで構成することができる。身体側ライナはまた、天然繊維及び／又は合成繊維で構成されたボンデッド・カーデッド・ウェブであってもよい。身体側ライナは、ほぼ疎水性の材料で構成することができ、疎水性材料は、所望のレベルの湿潤性と親水性を付与するために、随意的に界面活性剤で処理するか又は他の手法で処理することができる。例えば、この材料は、ＴｒｉｔｏｎＸ−１０２という商標でＲｏｈｍ  ａｎｄ  Ｈａａｓ社から商業的に入手可能な約０．２８重量パーセントの界面活性剤で表面処理することができる。他の好適な界面活性剤は、Ａｈｃｏｖｅｌという商標でデラウェア州ニューキャッスル所在のＩＣＩ社の一部門であるユニケマ社から商業的に入手可能なもの、及び、オハイオ州シンシナティで製造される、ペンシルヴァニア州アンブラー所在のコグニス社からＧｌｕｃｏｐｏｎ２２０という商標で販売されるものがある。界面活性剤は、スプレーすること、プリントすること、ブラシ・コーティングすること等といった従来の手法のいずれかを用いて塗布することができる。界面活性剤は、身体側ライナ４２の全体に塗布してもよいし、身体側ライナ４２の縦中心線沿いの中間部のような特定の部分に選択的に塗布してもよい。
【００１７】
好適な液体透過性の身体側ライナ４２は、約２７ｇｓｍの秤量を有する二成分の不織ウェブとすることができる。不織二成分ウェブは、二成分のスパンボンド・ウェブか、又は二成分のボンデッド・カーデッド・ウェブであってもよい。好適な二成分ステープル繊維は、日本国大阪所在のチッソ株式会社から入手可能なポリエチレン／ポリプロピレン二成分繊維を含む。この特定の二成分繊維においては、ポリプロピレンが繊維の芯を形成し、ポリエチレンが繊維の鞘を形成する。マルチローブ、並列構成、エンドツーエンド等といった他の繊維配向も可能である。外側カバー４０及び身体側ライナ４２はエラストマー材料を含むことができるが、幾つかの実施形態においては、複合構造体は一般的に非弾性とすることが望ましい場合もあり、このとき外側カバー、身体側ライナ、及び吸収体コアは、一般的にエラストマー性でない材料を含む。
本発明の一実施形態によれば、図３に示すように、吸収体コア４４は、外側カバー４０と身体側ライナ４２との間に配置され又は配置され、これらの構成材は、当該技術分野では公知の接着剤のようなどんな好適な手段によっても互いに接合することができる。吸収体コア４４は、該吸収体コア４４が、例えば尿のような液体の放出を吸収したときに、明らかに又は大幅に膨潤する高膨潤吸収性材料である。望ましくは、吸収体コア４４は、約２．０ｍｍより少ない初期乾燥厚さを有し、より好ましくは約１．５ｍｍより少ない初期乾燥乾燥厚さを有し、更により望ましくは約１．０ｍｍより少ない初期乾燥厚さを有する。放出により、膨潤可能な吸収体コア４４は、少なくとも放出領域又はゾーンにおいて、該放出を吸収して、望ましくは初期乾燥厚さの少なくとも約３倍大きい、更に望ましくは初期乾燥厚さの少なくとも約５倍大きい最終的な湿潤厚さ（ｔf）まで膨潤する。増加した厚さは、トレーニングパンツ２０を、着用者にとってよりおむつのように見せかつそのような感触にし、該着用者がその衣類を乾燥したトレーニングパンツ２０に取り替えるよう促し、並びに、トレーニングを促す。
【００１８】
本発明の一実施形態においては、最初の放出の結果としての吸収体コア４４の膨潤は、後の放出における取り込み及び流体分布を助長する空隙領域を該吸収体コア４４に生成する。
トレーニングパンツ２０は、特定の実施形態においては、予想放出体積の約３倍より大きくない全又は合計吸収能力、より望ましくは予想放出体積の約２倍より大きくない全又は合計吸収能力、及び高飽和容量を有して、吸収体コア４４を非常に効果的な吸収構造体にする。本発明の一実施形態においては、月齢が約１８ヶ月から約４８ヶ月までの幼児のための一回排泄用トレーニングパンツ２０は、好適には約３０グラム（ｇ）から約１００ｇまでの体積を有する放出を受け入れ、望ましくは約６０ｇから約８０ｇまでの体積を有する放出を受け入れる。本発明の特定の実施形態においては、トレーニングパンツ２０は、必要に応じて、約１００ｇより大きい放出体積を受け入れることができる。
吸収体コア４４の全吸収能力は、吸収された（及び保持された）流体をグラム（ｇ）で表わしたものである。特定の実施形態における吸収体コア４４の全吸収能力は、望ましくは約１００ｇより大きく、より望ましくは約１３０ｇから約２００ｇまでであり、更により望ましくは約１４０ｇから約１８０ｇまでである。吸収体コア４４の飽和容量（すなわち吸収体効率）は、吸収構造体１グラム（ｇ）当たりに保持された流体のグラム（ｇ）で表わされ、高い値は、効率が高いことを表わす。吸収体コア４４の飽和容量は、望ましくは約７ｇ／ｇより大きく、より望ましくは約９ｇ／ｇから約１１ｇ／ｇまでであり、更により望ましくは約１２．０ｇ／ｇより大きい。吸収体コア４４の全吸収能力と飽和容量との両方は、後述する飽和容量試験によって求められる。
【００１９】
例えば、フラフパルプと超吸収体材料を含む吸収体コア４４は、他の構成材と同様に、個々の構成材の流体容量及びそれらの吸収体コア４４内の相対的な割合によって求められる特定の量の流体を保持することができる。超吸収体（ＳＡＰ）材料は非常に効果的であり、一方フラフパルプ材料は適度に効果的である。更に、ポリエステル繊維のような幾つかの合成繊維は、通常は効果的でない。「効果的な」吸収構造体は、比較的大量の流体を保持することになり、一方、「効果的でない」吸収構造体は、比較的少量の流体を保持することになる。
吸収体コア４４は、全体として圧縮可能で、応従性があり、着用者の皮膚に刺激を与えないどんな構造体とすることもでき、液体及びある種の身体排出物を吸収し保持することができる。吸収体コア４４は、当該技術分野では一般的に用いられる多様な液体吸収性材料から多様な寸法及び形状に製造することができる。例えば、吸収体コア４４は、超吸収体材料として一般に知られる高吸収性材料の粒子と混合されたセルロースフラフのウェブのような親水性繊維マトリックスを適切に含むことができる。特定の実施形態では、吸収体コア４４は、木材パルプフラフのようなセルロースフラフのマトリックスと、超吸収性ヒドロゲル形成粒子とを含む。木材パルプフラフは、合成ポリマーのメルトブローン繊維か、又はメルトブローン繊維と天然繊維との混合物に置き換えることができる。超吸収性粒子は、親水性繊維と実質的に均一に混合することもできるし、又は不均一に混合することもできる。フラフと超吸収性粒子はまた、体外浸出物をより良好に収容し及び吸収するために、吸収体コア４４の所望の区域に選択的に配置することができる。また、超吸収性粒子の濃度は、吸収体コア４４の厚みにわたって変えることができる。或いは、吸収体コア４４は、繊維ウェブと超吸収性材料のラミネート、又は超吸収性材料を局所的な領域に保持する他の適切な手段を含むこともできる。
【００２０】
適切な超吸収性材料は、天然、合成、及び修飾天然ポリマー及び材料から選択することができる。超吸収性材料は、シリカゲルのような無機材料であってもよいし、架橋ポリマーのような有機化合物であってもよい。適切な超吸収性材料は、米国ミシガン州ミッドランドにあるＤｏｗ  Ｃｈｅｍｉｃａｌ社や、ドイツ連邦共和国クレーフェルトＤ−４７８０５のＳｔｏｃｋｈａｕｓｅｎ社のような種々の販売供給業者から入手可能である。超吸収性材料は、典型的には自重の少なくとも約１５倍の水を吸収することができ、自重の約２５倍より多い水を吸収できることが望ましい。
吸収体コア４４は、米国ジョージア州ジェサップ所在のＥＡＭ社から入手可能なＮＯＶＡＴＨＩＮ（登録商標）という商標名で市販されている極めて薄い高膨潤吸収複合材料、又は、ドイツ連邦共和国のクレーフェルト所在のＳｔｏｃｋｈａｕｓｅｎ  ＧｍｂＨ＆Ｃｏ．ＫＧから入手可能な、例えば３．７ｇのＦＡＶＯＲ（登録商標）ＳＸＭ９５４３ＳＡＰ及びワシントン州フェデラルウェイ所在のＷｅｙｅｒｈａｕｓｅｒから入手可能な３．７ｇのＮＢ４１６パルプ繊維、又は２．９ｇのＦａｖｏｒＳＸＭ  ９５４３ＳＡＰ及び６．７ｇのＮＢ４１６パルプ繊維の、ＳＡＰとパルプ繊維の混合物を含む極薄吸収体（ＵＴＡ）材料で作られ、おおよそ１００ｍｍ×３８５ｍｍの長方形パッドに切断されるか又は形成されることが望ましい。吸収体コア４４に好適な材料は、２００１年８月２４日に出願された米国特許出願連続番号０９／９３９，０６１号に記載される材料を含み、この開示は引用によりここに組み入れられる。
【００２１】
一実施形態においては、吸収体コア４４は、全体として長方形の形状にすることができ、木材パルプフラフと超吸収体材料のブレンドを含むことができる。１つの好ましいタイプのフラフは、米国アラバマ州チルダーズバーグ所在のＵ．Ｓ．アライアンス社から入手可能な、ＣＲ１６５４という商品名で特定される、主として軟材繊維を含む高吸収性の硫酸塩木材パルプが漂白されたものである。通例、超吸収性材料は、吸収体コア４４中に、吸収体コアの総重量を基準として約０から約９０重量パーセントまでの量で存在する。吸収体コア４４は、好適には、約０．１０から約０．５０グラム毎立方センチメートルの範囲内の密度を有する。吸収体コア４４は、該吸収体コア４４の一体性及び／又は形状の維持を助ける適切なティシュー・ラップにより包まれる又は包み込まれていてもよいし、そうでなくてもよい。
吸収性シャーシ３２はまた、必要に応じ、吸収体コア４４と互いに相対する面に沿って液体を受容し、一時的に保管し、及び／又は移送することを第一に設計された他の材料を組み込むことができ、それにより吸収体コアの吸収能力を最大化することができる。好適な材料の１つは、約５０から約１２０グラム毎平方メートル（ｇｓｍ）までの秤量を有する材料を含むサージ層（図示せず）と呼ばれるものであり、該材料は、６０パーセントがポリエステル（ＰＥＴ）芯／ポリエチレン鞘を含む３デニールのＴ−２５６型二成分繊維で、４０パーセントが６デニールのＴ−２９５型ポリエステル繊維である均一配合物のスルーエア・ボンデッド・カーデッド・ウェブを含み、どちらの繊維も米国ノースカロライナ州ソールズベリー所在のコーサ・コーポレーションから市販されている。
【００２２】
上記したように、図示されたトレーニングパンツ２０は、吸収性シャーシ３２の各側部に配置された前側部パネル３４及び後側部パネル１３４を有する。これらの横方向両側の前側部パネル３４と横方向両側の後側部パネル１３４は、それぞれ前領域２２及び後領域２４においてシャーシ３２の複合構造体３３に恒久的に結合することができる。更に、側部パネル３４及び１３４は、接着結合又は超音波結合のような好適な結合手段を用いて、互いに恒久的に結合して、再締結不可能なトレーニングパンツ２０を形成することができる。或いは、側部パネル３４及び１３４は、締結システム８０により、互いに取り外し可能に取り付けることができる。より具体的には、図２及び図３に最もよく示されるように、前側部パネル３４は、前領域２２において取付け線６６に沿って、複合構造体３３の直線状の側縁４７に恒久的に結合され、そこから横方向に延びることができ、後側部パネル１３４は、後領域２４において取付け線６６に沿って、複合構造体の直線状の側縁に恒久的に結合され、そこから横方向に延びることができる。側部パネル３４及び１３４は、接着剤、熱結合又は超音波結合、或いはその組み合わせといった当業者に公知の取付け手段を用いて取り付けることができる。側部パネル３４及び１３４はまた、外側カバー４０又は身体側ライナ４２のような複合構造体３３の構成材の一部として形成することができる。
【００２３】
改善されたフィット性及び外観の特定の実施形態においては、側部パネル３４及び１３４は、望ましくは縦方向軸線４８に平行に計測された吸収性物品の全体的な長さ寸法の約２０パーセント又はそれ以上、特に約２５パーセント又はそれ以上の、縦方向軸線４８に平行に計測された平均長さ寸法を有する。例えば、約５４センチメートルの全長寸法を有するトレーニングパンツにおいては、側部パネル３４及び１３４は、望ましくは約１５センチメートルといった約１０センチメートル又はそれ以上の平均長さ寸法を有する。側部パネル３４及び１３４の各々は、ウエスト開口部５０から脚開口部５２の一方まで延びるが、後側部パネル１３４は、図２及び図３に最も良く示されるように、取付線６６から後パネル１３４の遠位縁６８ｂまで移行する継続的に減少する長さ寸法を有する。
側部パネル３４及び１３４の各々は、１つ又はそれ以上の個別の材料部品を含むことができる。特定の実施形態においては、例えば側部パネル３４及び１３４の各々は、シームで接合される第１側部パネル部分及び第２側部パネル部分を含み、該部分の少なくとも１つはエラストマー材料を含む。或いは又、側部パネル３４及び１３４の各々は、中間折畳み線（図示せず）に沿って折り畳まれる単一の材料部品を含むことができる。
側部パネル３４及び１３４は、トレーニングパンツ２０の横方向軸線４９にほぼ平行な方向に伸ばすことができる弾性材料を含むことが望ましい。具体的な実施形態においては、前側部パネル３４と後側部パネル１３４は、各々、遠位縁６８ａと前中央パネル３５との間、又は遠位縁６８ｂと後中央パネル１３５との間に配置された内側部分７８を含むことができる。図３に示された実施形態においては、内側部分７８は、遠位縁６８ａ及び６８ｂと矩形の複合構造体３３の側縁４７との間に配置される。側部パネル３４及び１３４の弾性材料を内側部分７８に配置して、側部パネルを横方向軸線４９にほぼ平行な方向にエラストマー性にすることができる。最も望ましくは、側部パネル３４及び１３４の各々を、ウエスト端縁７２から脚端縁７０にかけてエラストマー性とすることができる。より詳細には、ウエスト端縁７２及び脚端縁７０の間で横軸方向４９に平行に取られ、取付け線６６から遠位縁６８ａ及び６８ｂまでの長さと約２センチメートルの幅とをもつ側部パネル材料の個々のサンプルは、全てエラストマー性である。
【００２４】
好適な弾性材料と、トレーニングパンツに弾性側部パネルを組み込む記載された方法の１つは、Ｖａｎ  Ｇｏｍｐｅｌ他に付与された１９９０年７月１０日付の米国特許第４，９４０，４６４号、Ｐｈｏｊｏｌａに付与された１９９３年６月６日付の米国特許第５，２２４，４０５号、Ｐｈｏｊｏｌａに付与された１９９２４月１４日年付の米国特許第５，１０４，１１６号、及びＶｏｇｔ他に付与された１９９１年９月１０日付の米国特許第５，０４６，２７２号に記載され、これらのすべては引用によりここに組み入れられる。具体的な実施形態においては、弾性材料は、ストレッチ−サーマル・ラミネート（ＳＴＬ）材料、ネック−ボンデッド・ラミネート（ＮＢＬ）材料、可逆的にネック生成されたラミネート材料、又はストレッチ−ボンデッド・ラミネート（ＳＢＬ）材料を含む。こうした材料の製造方法は、当業者には周知であり、Ｗｉｓｎｅｓｋｉ他に付与された１９８７年５月５日付の米国特許第４，６６３，２２０号、Ｍｏｒｍａｎに付与された１９９３年７月１３日付の米国特許第５，２２６，９９２号、及びＴａｙｌｏｒ他の１９８７年４月８日に公開された欧州特許出願ＥＰ  ０  ２１７  ０３２号に記載され、これらのすべては引用によりここに組み入れられる。或いは、側部パネル材料は、外側カバー４０又は身体側ライナ４２に適しているとして上記されたような他の織成材料又は不織材料か、もしくは引伸ばせるが非弾性である材料を含むことができる。
【００２５】
本発明によるトレーニングパンツ２０はまた、該トレーニングパンツを着用者のウエスト周りに固定するための締結システム８０を含む（図１）。一実施形態においては、締結システム８０は、締結部材８２を含み、これは嵌合相手である締結部材８４と再締結可能に接続するようになっている。１つの実施形態においては、締結部材８２及び８４の各々の表面の１つは、その表面から突出した複数の係合要素を備える。これらの締結部材８２の係合要素は、嵌合相手である締結部材８４の係合要素に繰り返し係合され及び外されるようになっている。
１つの具体的な実施形態においては、締結部材８２の各々はフック型のファスナを含み、嵌合相手である締結部材８４の各々は相補的なループ型のファスナを含む。別の具体的な実施形態においては、締結部材８２の各々はループ型のファスナを含み、嵌合相手である締結部材８４の各々は相補的なフック型のファスナを含む。締結部材８２及び嵌合相手である締結部材８４は矩形とすることが望ましいが、これらは、代替的に正方形、円形、楕円形、湾曲形、又はその他の矩形でない形状とすることもできる。
ループ型ファスナは通常、ベースすなわち下地構造体と該下地構造体の少なくとも１つの表面から上向きに延びる複数のループ部材とを有する布又は材料を含む。ループ材料は、アクリル、ナイロン、又はポリエステルなどの適切な材料のいずれからも形成することができ、また縦編み、ステッチ結合、又はニードル・パンチングなどの方法で形成することができる。好適なループ材料は、Ｎｏ．３６５４９という商標で、米国ノースカロライナ州グリーンズボロー所在のギルフォード・ミルズ・インクから入手可能である。
【００２６】
フック型ファスナは通常、ベースすなわち下地構造体と該下地構造体の少なくとも１つの表面から上向きに延びる複数のフック部材とを有する布又は材料を含む。可撓性布を含むことが好ましいループ型ファスナとは異なり、フック材料は、フック材料が変形して衣類又は他の品目に引っ掛かることによるファスナ部材の不測の外れを最小にするために、弾性的な材料を有利に含む。ここで用いられる「弾性的な」という用語は、所定の形状と、嵌合する相補的なインターロック材料に係合され、該材料から係合解除された後に所定の形状を取り戻すインターロック材料特性とを有するインターロック材料を指す。好適なフック材料は、ナイロン、ポリプロピレン、又は別の好適な材料が成形されたもの又は押し出されたものとすることができる。締結部材８２又は嵌合する締結部材８４に適した片面フック材料は、オランダのアムステルダム所在のＶｅｌｃｒｏ  Ｉｎｄｕｓｔｒｉｅｓ  Ｂ．Ｖ．社又はその関連会社といった商業的な業者から入手可能であり、一方向のフックパターンをもち、約０．０８９ミリメートル（３．５ミル）の厚さを有するＶｅｌｃｒｏ  ＨＴＨ−８２９、及び一方向のフックパターンをもち、約０．０５１ミリメートル（２ミル）の厚さを有するＨＴＨ−８５１として識別される特定の材料を含む。
【００２７】
吸収性シャーシ３２及び締結システム８０は共に、ウエスト開口部５０及び一対の脚開口部５２を有する再締結可能な製品を定める。締結システムが係合されるときに、再締結可能な製品は、ウエスト開口部５０から各脚開口部５２まで延びる一対の前側部パネル３４と、ウエスト開口部５０から各脚開口部５２まで延びる一対の後側部パネル１３４と、前面側２２に配置され、かつ前側部パネルの対の間に配置されるエラストマーの前ウエストバンド５４と、後面側２４に配置され、かつ後側部パネルの対の間に配置されるエラストマーの後ウエストバンド５６と、各脚開口部５２を部分的に取り囲む少なくとも一対の脚弾性部材５８とを含む。１つ以上の脚弾性部材５８が各脚開口部５２を部分的に又は完全に取り囲むことがより好ましい。脚弾性部材５８の各々は、隣接する前面側２２の前側部パネル３４から隣接する後面側２４の後側部パネル１３４まで延びる。
ここで説明されるように、吸収性衣類２０の種々の構成材は、接着剤、超音波、及び熱結合又はこれらの組み合わせといった種々のタイプの好適な取り付け手段を用いて互いに一体に組み立てることができる。結果として得られる製品は、湿潤時に大幅に膨潤し、トイレトレーニング補助器具として用いることができる吸収性衣類である。
【００２８】
（実施例）
一回放出用トレーニングパンツ（ＣＯＤＥ  １Ａ、ＣＯＤＥ  １Ｂ、及びＣＯＤＥ  ２）が、膨潤可能な吸収体コアを含む本発明の実施形態により生成された。本発明により生成された各トレーニングパンツの吸収体コアの膨潤性は、修正された流体取り込み及び逆戻り評価（ＦＩＦＥ）試験方法を用いて、通常のトレーニングパンツ（ＣＯＤＥ  ３及びＣＯＤＥ  ４）の吸収体コアの膨潤性と比較された。各吸収体コアの初期乾燥厚さ（ｔi）及び最終湿潤厚さ（ｔf）が測定された。修正されたＦＩＦＥ試験の結果は、表１ないし表５において以下に示される。
本発明の１つの実施形態においては、３．７ｇのＦａｖｏｒ  ＳＸＭ９５４３  ＳＡＰ及び３．７ｇのＮＢ４１６パルプ繊維を含む極薄吸収体（ＵＴＡ）材料を含む一回放出用トレーニングパンツが生成された（ＣＯＤＥ  １Ａ）。吸収体コアは、約１００ｍｍの幅と約３８５ｍｍの長さを有した。ＣＯＤＥ  Ａの５つのサンプルは、約０．８４ｍｍの平均初期乾燥厚さ（ｔi）を有した。吸収体コアは、０．５ｏｓｙのスパンボンド材料を含む身体側ライナと外側カバーとの間に配置された。５０ｇｓｍの６デニールＰＥＴ／３デニール二成分バインダ繊維を含むサージ材料が吸収体コアと身体側ライナとの間に置かれた。一回放出用トレーニングパンツは、０．５ｐｓｉ全吸収能力が約１５０ｇであった。８０ｍｌの食塩水の放出を吸収した後、吸収体コアの５つのサンプルは、約４．４０ｍｍの平均最終湿潤厚さ（ｔf）を有した。したがって、最終湿潤厚さ（ｔf）は、初期乾燥厚さ（ｔi）と比較して５倍だけ厚いように大きくなった。
2005533528.tif 000003
【００２９】
本発明の１つの実施形態においては、米国ノースカロライナ州グリーンズボロー所在のＳｔｏｃｋｈａｕｓｅｎから入手可能な２．９ｇのＦａｖｏｒ  ＳＸＭ９５４３  ＳＡＰ及び米国ワシントン州タコマ所在のＷｅｙｈａｅｕｓｅｒ社から入手可能な６．７ｇのＮＢ４１６パルプ繊維を含む極薄吸収体（ＵＴＡ）材料を含む一回放出用トレーニングパンツが生成された（ＣＯＤＥ  １Ｂ）。吸収体コアは、約１００ｍｍの幅と約３８５ｍｍの長さを有した。ＣＯＤＥ  １Ｂの５つのサンプルは、約０．８６ｍｍの平均乾燥厚さ（ｔi）を有した。吸収体コアは、０．５ｏｓｙのスパンボンド材料を含む身体側ライナと外側カバーとの間に配置された。５０ｇｓｍの６デニールＰＥＴ／３デニール二成分バインダ繊維を含むサージ材料が吸収体コアと身体側ライナとの間に置かれた。一回放出用トレーニングパンツは、０．５ｐｓｉ全吸収能力が約１５０ｇであった。８０ｍｌの食塩水の放出を吸収した後、吸収体コアの５つのサンプルは、約４．３１ｍｍの平均最終湿潤厚さ（ｔf）を有した。したがって、最終湿潤厚さ（ｔf）は、初期乾燥厚さ（ｔi）と比較して５倍だけ厚いように大きくなった。
2005533528.tif 000004
本発明の１つの実施形態においては、ＥＡＭ社により供給される吸収性材料で構成された吸収体コアを含む一回放出用トレーニングパンツ、すなわちＣＯＤＥ  ２が生成された。５０ｇｓｍの６デニールＰＥＴ／３デニール二成分バインダ繊維を含むサージ材料が、吸収体コアの目標域上に置かれた。吸収体コアは、約１０２ｍｍの幅と約３８５ｍｍの長さを有した。ＣＯＤＥ  ２の吸収体コアの５つのサンプルは、約０．６２ｍｍの初期乾燥厚さ（ｔi）を有した。吸収体コア及びサージ層は、０．５ｏｓｙのスパンボンド材料を含む身体側ライナと外側カバーとの間に配置された。一回放出用トレーニングパンツは、０．５ｐｓｉ全吸収能力が約１５０ｇであった。８０ｍｌの食塩水の放出を吸収した後、吸収体コアの５つのサンプルは、約３．７５ｍｍの平均最終湿潤厚さ（ｔf）を有した。したがって、最終湿潤厚さ（ｔf）は、初期乾燥厚さ（ｔi）と比較して６倍だけ厚いように大きくなった。
2005533528.tif 000005
ＣＯＤＥ  ３は、ウィスコンシン州ニーナ所在のキンバリークラーク社により米国で製造されたＰＵＬＬ−ＵＰ（登録商標）トレーニングパンツである。
ＣＯＤＥ  ４は、日本のユニチャームにより製造されたＴＯＲＥＰＡＮ  ＭＡＮ（登録商標）である。
【００３０】
修正された流体取り込み及び逆戻り評価（ＦＩＦＥ）試験方法
図４及び図５に示される装置をこの試験のために用いる。試験されるべきサンプルは、図４において参照番号１６８として想像線で示される。商業的に入手可能な製品（ＣＯＤＥ  ３及びＣＯＤＥ  ４）においては、吸収体コアが除去されて、Ｃｏｄｅ  １Ａ、Ｃｏｄｅ  １Ｂ、及びＣｏｄｅ  ２の試験に用いられた方法によって試験された。
サンプル１６８は、最初に、吸収構造体の取り込みゾーンを０．２ｐｓｉ重錘の下に置くことにより乾燥厚さについて試験され、この領域における吸収体の厚さが記録された。吸収体の厚さのための好適な試験機は、０．２ｐｓｉの重さを与える３インチ直径の真鍮脚を備える日本のミツトヨ−ＭＴＩ社から入手可能なＭＩＴＵＴＯＹＯ  ５４３シリーズの隙間ゲージである。試験されるべきサンプル１６８は、次に、８８０グラムの円筒形プレート組立体１７０の下に、平らにかつ滑らかに置かれて、５．１センチメートルの内径を有するシリンダ１７２が、吸収構造体の取り込みゾーン１７８の中心１７４の上に、縦方向の中心線と位置合わせされるようにする。おおよそ１３．７グラムの重さで、１／４インチ（６．２５ｍｍ）の出口スパウトをもつ漏斗を、シリンダ１７２の上部に用いることができる。或いは、以下に述べられる試験液体をシリンダ１７２の中に直接加えてもよい。
米国テキサス州アーリントン所在のＲｉｃｃａ  Ｃｈｅｍｉｃａｌ社から入手可能な８０ミリリットルの０．９％のｗ／ｖ塩化ナトリウム溶液が、迅速に漏斗１７６の中に注がれるか、又は直接シリンダ１７２の中に注がれて、試験機により視覚的に判断されるように、吸収体サンプルに完全に入ることが可能になる。流体が、最初に完全に吸収されたように見えた時点で、５分間のタイマーを開始して、サンプルをこの期間だけ放置することが可能になる。５分間の終わりには、シリンダプレート組立体１７０が除去されて、湿潤厚さの測定が、シリンダ１７２内で中心に配置された吸収体のゾーン上で行われる。乾燥厚さ測定に用いられたものと同じ方法が、湿潤厚さ測定に用いられる。各サンプルの少なくとも４つの試験片が試験され、乾燥厚さ測定及び湿潤厚さ測定の平均が求められた。湿潤サンプルが完全性を損失して、厚さ試験機への支持されていない透過が不可能になった場合には、薄いポリフィルムを試験片の下に用いて、これらを再配置するようにすることができる。ポリフィルムの厚さは、吸収複合材の厚さを求めるように、支持されているサンプルの合計測定厚さから引くものとする。
【００３１】
修正されたＦＩＦＥ試験結果
表１
ＣＯＤＥ  １Ａ：８０ｍｌでのＵＴＡ  試作品
５０％のＦａｖｏｒ  ＳＸＭ  ９５４３、５０％のＮＢ４１６
2005533528.tif 000006
表２
ＣＯＤＥ  １Ｂ：８０ｍｌでのＵＴＡ  試作品
２．９グラムのＦａｖｏｒ  ＳＸＭ  ９５４３、６．７グラムのＮＢ４１６
2005533528.tif 000007
【００３２】
表３
ＣＯＤＥ  ２：８０ｍｌでのＥＡＭ試作品
2005533528.tif 000008
表４
ＣＯＤＥ  ３：８０ｍｌでのＰＵＬＬ−ＵＰＳ（登録商標）
2005533528.tif 000009
表５
ＣＯＤＥ  ４：８０ｍｌでのＵＮＩＣＨＡＲＭ  ＴＯＲＥＰＡＮ  ＭＡＮ（登録商標）  ９−１４Ｋｇパンツ
2005533528.tif 000010
【００３３】
修正された飽和容量試験方法
飽和容量は、Ｍａｇｎａｈｅｌｉｃ真空ゲージとラテックスダムとを備えた飽和容量（ＳＡＴ  ＣＡＰ）試験機を用いて求める。図６−図８を参照すると、飽和容量試験機真空装置１１０は、４つの脚部材１１４上に支持された真空チャンバ１１２を備える。真空チャンバ１１２は、前壁部材１１６と、後壁部材１１８と、２つの側壁１２０及び１２１を含む。壁部材は、厚さ約０．５インチであり、長さ２３．５インチ、幅１４インチ、及び深さ８インチに計測される外寸を有するチャンバを与えるように構成され配置される。
真空ポンプ（図示せず）は、適切な真空ライン導管と真空弁１２４を通して真空チャンバ１１２に作動的に接続される。更に、適切な抽気ラインが、抽気弁１２６を介して真空チャンバ１１２に接続される。ハンガー組立体１２８は、後壁１１８に適切に取り付けられ、真空装置１１０の上部から遠い方の従来の位置にラテックスダムシート１３０を支持する従来の静止位置を与えるためにＳ字形に湾曲された端部をもつように構成される。適切なハンガー組立体は、直径０．２５インチのステンレス鋼ロッドから構成することができる。ラテックスシート１３０は、つかむのを容易にし、ラテックスシート１３０の通常の動き及び位置決めを可能にするために、ダウエル部材１３２の周りにループ状にされる。図示された位置においては、ダウエル部材１３２は、ラテックスシート１３０を真空チャンバ１１２の上部から遠い方の開位置に位置させるためにハンガー組立体１２８に支持された状態で示されている。
【００３４】
ラテックスシート１３０の底部縁は、トグルクランプ１４０のような適切な固定手段によって後縁支持部材１３４に対してクランプされる。トグルクランプは、所望の作動に適したトグルクランプ１４０の向き及び位置合わせを与える適切なスペーサ１４１によって後壁部材１１８上に取り付けられる。３つの支持シャフト１４２は、直径０．７５インチであり、支持ブランケット１４４によって真空チャンバ１１２内に取り外し可能に取り付けられる。支持ブランケット１４４は、前壁部材１１６と後壁部材１１８に沿ってほぼ等間隔に配置され、協働する対として配置される。更に、支持ブランケット１４４は、支持シャフト１４２の最上部が真空チャンバ１１２の前壁、後壁及び側壁部材の上部と同一平面上に適切に配置されるように構成され配置される。したがって、支持シャフト１４２は、互いにほぼ平行に配置され、側壁部材１２０及び１２１とほぼ位置合わせされる。後縁支持部材１３４に加えて、装置１１０は、前部支持部材１３６と２つの側部支持部材１３８及び１３９を含む。各側部支持部材の寸法は、幅約１インチ、高さ約１．２５インチである。支持部材の長さは、真空チャンバ１１２の上部開放縁の周辺部を適切に取り囲むように構成され、チャンバ壁部材の上縁を約０．５インチの距離だけ越えて突出するように配置される。
卵箱型材料の層１４６が、支持シャフト１４２の上部と、真空チャンバ１１２の壁部材の上縁に配置される。例えば、卵箱型材料は、パネル内に１３ｍｍ×１３ｍｍの開口部を有するＭｃＭａｓｔｅｒ  Ｓｕｐｐｌｙ  Ｃａｔａｌｏｇ  Ｎｏ．１６２  ４Ｋ  １４から入手可能な半透明の光ディフューザパネルとすることができる。卵箱型材料は、２３．５インチ×１４インチの寸法のほぼ長方形の領域にわたって延び、約０．３８インチの深さ寸法を有する。卵箱構造体の個々のセルの寸法は約０．５インチ平方であり、卵箱を構成する薄いシート材料は、ポリスチレンといった適切な材料からなる。２３．５インチ×１４インチの寸法の０．１９メッシュのナイロンスクリーンの層１４８が、卵箱材料１４６の上部に配置される。メッシュのナイロンスクリーンは、Ｅａｇｌｅ  Ｓｕｐｐｌｕ＆Ｐｌａｓｔｉｃ社から入手可能なＴＥＦＬＯＮで被覆された部品番号７３０８の６ｍｍのメッシュのナイロンスクリーンであることが望ましい。
【００３５】
適切なドレンラインとドレン弁１５０が、真空チャンバ１１２の底部プレート部材１１９に接続されて、真空チャンバ１１２から液体を排出する便利な機構を与える。試験装置１１０の種々の壁部材と支持部材は、ポリカーボネート・プラスチックのような適切な非腐食性の耐水性材料から構成することができる。溶剤溶接によって種々の組立体ジョイントを取り付けることができ、試験機の完成した組立体は、防水性となるように構成される。真空ゲージ１５２は、導管を通して真空チャンバ１１２に作動的に接続される。適切な圧力ゲージは、Ｄｗｙｅｒ  Ｉｎｓｔｒｕｍｅｎｔ  Ｉｎｃｏｒｐｏｒａｔｅｄから入手可能なＮｏ．２１００ゲージのような、０−１００インチの水の真空を計測することができるＭａｇｎａｈｅｌｉｃ差動ゲージである。
乾燥製品又は他の吸収構造体を計量し、次いで過剰量の０．９％食塩水溶液中に入れ、２０分間浸す。２０分間浸した後に、吸収構造体を卵箱材料と飽和容量試験機のメッシュナイロンスクリーンにおく。ラテックスシートを吸収構造体と卵箱グリッド全体の上におき、それにより試験機に真空が引かれたときにラテックスシートがシールを形成する。０．５ポンド毎平方インチ（ｐｓｉ）の真空が飽和容量試験機において５分間保たれる。真空は、吸収構造体に対して圧力を生じ、或る量の液体の排液をもたらす。０．５ｐｓｉの真空下で５分後に、ラテックスシートが巻き戻され、吸収構造体が計量されて、湿潤重量が与えられる。
【００３６】
各吸収構造体の全体的な容量は、手順のこの時点で求められた吸収体の湿潤重量から各吸収体の乾燥重量を引くことによって求められる。０．５ｐｓｉのＳＡＴ  ＣＡＰ又は吸収構造体のＳＡＴ  ＣＡＰは、次式によって求められる。
ＳＡＴ  ＣＡＰ＝（湿潤重量−乾燥重量）／乾燥重量
ここで、ＳＡＴ  ＣＡＰ値は、グラム流体／グラム吸収体の単位を有する。全体的な容量とＳＡＴ  ＣＡＰとの両方においては、各サンプルの最小３つの試験片を検査し、その結果を平均すべきである。吸収構造体が浸漬又は移送手順の間に低い一体性又は崩壊性を有する場合には、吸収構造体は、米国ウィスコンシン州ニーナ所在のキンバリー・クラーク社によって製造されたペーパータオル、例えばＨｉ−Ｄｒｉ（登録商標）ペーパータオルのような閉じ込め材料にラップすることができる。吸収構造体は、オーバーラップが定位置にある状態で試験することができ、該オーバーラップの容量は、別個に求め、吸収体の湿潤重量を得るために、ラップされた吸収構造体の総湿潤重量から引くことができる。
【００３７】
修正された飽和容量試験結果
表６
ＣＯＤＥ  １Ａ：ＵＴＡ試作品
５０％のＦａｖｏｒ  ＳＸＭ９５４３、５０％のＮＢ４１６
2005533528.tif 000011
表７
ＣＯＤＥ  １Ｂ：ＵＴＡ試作品
２．９グラムのＦａｖｏｒ  ＳＸＭ９５４３、６．７グラムのＮＢ４１６
2005533528.tif 000012
【００３８】
表８
ＣＯＤＥ  ２：ＥＡＭ試作品
2005533528.tif 000013
表９
ＣＯＤＥ１Ａ：ＰＵＬＬ−ＵＰＳ（登録商標）トレーニングパンツ
2005533528.tif 000014
【００３９】
表１０
ＣＯＤＥ  ４：ＵＮＩＣＨＡＲＭ  ＴＯＲＥＰＡＮ  ＭＡＮ（登録商標）９−１４Ｋｇ．パンツ
2005533528.tif 000015
表１１
修正されたＦＩＦＥ試験結果の概要
2005533528.tif 000016
【００４０】
説明のために与えられた上記の実施形態の詳細な説明は、本発明の適用範囲を限定するものと解釈されるべきではないことは認識されるであろう。上記では本発明のほんの幾つかの例示的な実施形態について詳細に説明したが、当業者には、本発明の新規な教示及び利点から本質的に逸脱することなく、例示的な実施形態に多くの修正が可能であることが容易に分かるであろう。したがって、そのような修正のすべては、特許請求の範囲の請求項とそれらの全ての均等物において定義される本発明の適用範囲内に含まれることを意図している。更に、多くの実施形態は、幾つかの実施形態、特に好ましい実施形態の利点のすべてを達成しないことが考えられることが認識され、また、特定の利点がないことは、そのような実施形態が本発明の適用範囲外にあることを必ずしも意味するとはみなされない。
【図面の簡単な説明】
【００４１】
【図１】本発明の一実施形態に係る膨潤可能な吸収体コアを有する吸収性衣類の側部斜視図である。
【図２】本発明の一実施形態に係る、部分的に分解され平らに伸ばされた状態の図１の吸収性衣類の平面図であり、衣類が着用されたときに着用者から遠い方に面する衣類の表面を示す。
【図３】本発明の一実施形態に係る、部分的に分解され平らに伸ばされた状態の図１及び図２の吸収性衣類の平面図であり、物品の着用時に着用者側に面する衣類の表面を示し、下にある特徴を示すために一部が切り取られている。
【図４】流体の取り込み及び逆戻りを測定するのに用いられる試験装置の分解図である。
【図５】作動中の図４の装置を示す側面図である。
【図６】飽和容量試験機の部分的に切り取られた上面図を代表して示す。
【図７】飽和容量試験機の側面図を代表して示す。
【図８】飽和容量試験機の後部図を代表して示す。
【図１】
2005533528.tif 000022
【図２】
2005533528.tif 000023
【図３】
2005533528.tif 000024
【図４】
2005533528.tif 000025
【図５】
2005533528.tif 000026
【図６】
2005533528.tif 000027
【図７】
2005533528.tif 000028
【図８】
2005533528.tif 000029
【国際調査報告】
2005533528.tif 000030
2005533528.tif 000031
2005533528.tif 000032
2005533528.tif 000033
2005533528.tif 000034